Podtech/llm-jp-corpus-v4-ja_patent huggingface dataset:
(57)【要約】【課題】一般的な風力発電機は、回りに遮蔽物の無い比較的広いスペースに設置するようになっていて、設置するのは強固な台座が必要で一般的に設置工事を必要とする。  更に、発電機部分は風雨にさらされるため、防水などの高い密閉性を必要とするためメンテナンスが面倒で、構造も複雑な場合が多く、一般家庭には普及していない。【解決手段】風力発電機を窓枠に設置できるようにしたことで設置を容易にし、更に回転翼部分を屋外に、発電機部分を屋内に設置することで高度な密閉性を不要とした。  広い場所に設置せずとも、建物に受けた風が壁伝いに回転翼に集められるため、真逆の風以外は比較的効率は悪くならない。【選択図】図１
2011163171.tif 000002
【特許請求の範囲】
【請求項１】
小型の風力発電機において、回転翼部と、前記回転翼部と発電機部を一定距離あけることのできる動力伝達部分と、発電機部と、前記動力伝達部の近傍に窓枠に設置することのできる部材とを備え、前記回転翼部は屋外に、前記発電機部は屋内に設置することができるようにしたことを特徴とする窓に取付け可能な小型の風力発電機。
【発明の詳細な説明】
【技術分野】
【０００１】
本発明は、設置が容易な風力発電機に関するものである。
【背景技術】
【０００２】
一般的な風力発電機は回りに遮蔽物の無い比較的広いスペースに設置するようになっている。
【０００３】
しかし、一般的な住宅では風力発電機の設置場所がなく、特に集合住宅では不可能であり、設置場所があっても設置にかかる費用が高く普及していない。
【０００４】
風力発電は太陽光発電に次いで個人が扱うことができる自然エネルギーであるが、設置場所がないことや設置費用が高いことが普及の妨げになっている。
【０００５】
この解決策として、屋根の上や屋上、ベランダに設置する風力発電機があるが、やはり設置にはある程度の工事が必要で、機器も高価なものが多い。
【先行技術文献】
【特許文献】
【０００６】
【特許文献１】特開平８−２３７９９６号公報
【特許文献１】特開２００７−１２０３１８号公報
【発明の概要】
【発明が解決しようとする課題】
【０００７】
解決しようとする問題点は、一般個人でも容易に設置が可能で、また機器費用も安く製作できる風力発電機を提供することである。
【課題を解決するための手段】
【０００８】
本発明は、小型風力発電機を窓枠に取付け可能にし、更に防水が必要な発電機や二次電池などの部分は屋内に配して設置することができることを特徴とする。
【発明の効果】
【０００９】
本発明の小型風力発電機は回転翼部分は屋外に設置するが、動力をそのまま屋内に引き込むことができるため発電機や二次電池部分を完全防水にする必要がなく構造を簡便にすることができる。
また、窓枠に設置するため、設置が簡単で工事を必要としない。
【図面の簡単な説明】
【００１０】
【図１】図１は本考案の小型風力発電機の設置状態図である。（実施例１）
【図２】図２は本考案の小型風力発電機の設置状態を示した説明図である。（実施例１）
【図３】図３は本考案の小型風力発電機の説明図である。（実施例１）
【図４】図４は本考案の小型風力発電機の設置例である。（実施例２）
【発明を実施するための形態】
【００１１】
窓枠を挟んで、屋外に回転翼、屋内に発電機および制御回路、二次電池等を配し、窓枠部分には動力の伝達部材のみを配する。
【実施例１】
【００１２】
図１は、本発明装置の設置状態を示す１実施例の図であって、１は風力発電機本体、２はアルミサッシ、３は隙間を埋める部材である。
図２は、図１の断面図を示し、屋外に設置された１−１０は風を効率的に取り込む部材、１−１１は風を受ける部材、１−１２は屋内に取込まれた動力を伝える部材である。
図３は、風力発電機本体の説明図であって、１−１と１−３はプーリ、１−２はベルト、１−４と１−５はフレーム部材、１−６は屋内に取込まれた動力により回転する部材である。
【００１３】
図２のように壁や窓に当たった風は壁や窓伝いに移動し１−１０によって集められ１−１１を回転させる動力を発生させる。
【００１４】
発生した回転力は１−１を介して１−２に伝えられ、屋内に配する１−３へと伝わる。
【００１５】
１−１３に伝わった回転力は１−１２により適正な回転方向に修正されて１−６へと伝達される。
【００１６】
ここで、１−１１の回転方向は風向きによって変化するため１−１２には１方向クラッチなどの複数組み合わせににより常に一定方向の回転とすることにより、１−６に接続される発電機の負荷を減らす目的がある。
【００１７】
図４は、本発明の第２の実施例であって、建物の間が狭い場合のいわゆるビル風を利用した風力発電機の説明図である。
【００１８】
いわゆるビル風の場合は、横方向の風しかなく、壁面より建物間の中心の方が風速が大きいため、１−１０を建物側に移動させることで効率を上げている。
【００１９】
このように、窓を挟んで屋内に発電機を配することにより、防水など機密性を有することなく簡便な構造にできる。
また、設置も窓枠に固定するため設置は非常に簡単であり、窓枠に設置する、窓用換気扇、窓用エアコンは良く知られている。
【産業上の利用可能性】
【００２０】
ひとつあたりの発電能力は低いため、二次電池を用いた携帯機器の充電やＬＥＤ照明などに利用できる。
機構や設置が簡単なため、学校の教材等に使用できる。
屋内に回転動力を伝えられるため、簡単な実験装置を追加することで、その地域での風の状態を観測することができる。
回転翼の形状は、本図にとどまらず、サボニウス型、ダリウス型、プロペラ型にも応用でき、設置場所により最適なものを選択する
【符号の説明】
【００２１】
１    風力発電機本体
１−１  駆動側プーリ
１−２  伝導ベルト
１−３  従動側プーリ
１−４  フレーム
１−５  フレーム
１−６  発電動力軸
１−１０  風防
１−１１  回転羽
１−１２  回転方向制御機構部
１−１４  風防
２    窓
３    隙間部材
５    建築物
【図１】
2011163171.tif 000003
【図２】
2011163171.tif 000004
【図３】
2011163171.tif 000005
【図４】
2011163171.tif 000006
(57)【要約】【課題】  デジタルカメラ、ビデオ撮影機、携帯電話等で自動撮影を行う場合、撮影の瞬間及び近くの時間が解らなかった又繰り返し撮影をしたい場合もう一度準備する必要があった．【解決手段】シャッターと電子シャッター間に一般の撮影と自動撮影とを切り替える為の切り替えスイッチを設け、タイマーの設定時間ごとに表示するＮＯ．１表示、ＮＯ．２表示、ＮＯ．３表示するタイマー間に繰り返し選択装置を設けた繰り返し選択装置付き自動撮影装置【選択図】図１
2011010250.tif 000002
【特許請求の範囲】
【請求項１】
シャッター（３）と電子シャッター（４）間に一般の撮影と自動撮影とを切り替える為の切り替えスイッチ（６）を設け、タイマーの設定時間ごとに表示するＮＯ．１表示（８）、ＮＯ．２表示（９）ＮＯ．３表示（１０）を表示するタイマー間に繰り返し選択装置（７）を設けた繰り返し選択装置付き自動撮影装置
【請求項２】
撮影機（２）には一般の撮影と自動撮影とを切り替える為の切り替えスイッチ（６）、更に電子シャッター（４）信号出力端子（１２）及び信号入力端子（１３）を設け、一方タイマーの設定時間ごとに表示するＮＯ．１表示（８）、ＮＯ．２表示（９）ＮＯ．３表示（１０）を表示するタイマーと信号入力端子（１３）間に繰り返し選択装置（７）をそれぞれ自動撮影機用装置（１７）に設けた繰り返し選択装置付き自動撮影装置
【請求項３】
薄型撮影機（１９）にはシャッター（３）と電子シャッター（４）間に一般の撮影と自動撮影とを切り替える為の切り替えスイッチ（６）を更に信号出力端子（１２）及び信号入力端子（１３）をそれぞれ設け、薄型撮影機（１９）を取り付ける保持溝（２０）を自動撮影機用装置（１７）にタイマーの設定時間ごとに表示するＮＯ．１表示（８）、ＮＯ．２表示（９）ＮＯ．３表示（１０）を表示するタイマーと信号入力端子（１３）間に繰り返し選択装置（７）をそれぞれ自動撮影機用装置（１７）に設けた繰り返し選択装置付き自動撮影装置
【発明の詳細な説明】
【技術分野】
【０００１】本発明は、デジタルカメラ、ビデオ撮影機、携帯電話等で使用する自動撮影装置で、撮影の瞬間及び準備時に合図の表示があり、更に繰り返し選択撮影が出来る分野に関する物である．
【背景技術】
【０００２】従来自動撮影を行う時に撮影の瞬間及び近くの時間が解らず又繰り返し撮影する場合はもう一度準備する必要があった．
【発明の開示】
【発明が解決しようとする課題】
【０００３】そのために次のような問題点があった．
（イ）撮影の瞬間及び近くの時間が解らず想像で行っていた．
（ロ）繰り返し撮影を行うときは撮影機まで行き準備する必要があった．
【課題を解決する手段】
【０００４】上記の問題点を解決する為自動撮影切り替えスイッチ、及び撮影の繰り返し選択装置を設ける．
タイマーも１回目の設定時間、２回目の設定時間の選択が出来る装置にする．
更にセルフタイマーの設定時の合図表示、１〜２秒前の準備の合図表示、撮影の瞬間の０．１〜０．２秒前の合図表示の設定が出来る．
【発明の効果】
【０００５】その結果、次の効果が生じる．
（イ）自動撮影の繰り返しが出来る回数を選択出来る為従来の様に繰り返し設定する必要がない．
（ロ）例えば１回目の設定が３０秒で、２回目の設定が２秒等で、設定が出来る為時間が掛からない．
（ハ）従来は撮影の瞬間を想像によっていた．
本発明の方法によると１〜２秒前の準備の合図やデジタル数字が表示され、撮影の瞬間の０．１〜０．２秒前の合図表示がされ大変便利である．
【発明を実施する為の最良の形態】
【０００６】以下本発明の実施形態について説明する．
（イ）図１は撮影機（２）に内蔵した例で一般の撮影と自動撮影の選択する切り替えスイッチ（６）をシャッター（３）と電子シャッター（４）間に設ける．
自動撮影側には繰り返し回数を選択出来る繰り返し選択装置（７）を設け１回目の設定時間を決めるＮＯ．１タイマー（１１）２回目の設定時間を決めるＮＯ．２タイマー（２１）を設け、設定時間後に電子シャッター（４）が切れる．設定した時にＮＯ．１表示（８）が表示され、１〜２秒前にＮＯ．２表示（９）がされ、０．１〜０．２秒前にＮＯ．３表示（１０）が表示される．
又２回目の撮影はＮＯ．２表示（９）から始まる設定に出来るので短縮される．
図では説明上タイマーが２個  図示しているが通常のタイマーに２種類の端子を設ければ、タイマーは１個で兼用出来る．
（ロ）図２は従来の撮影機（２）には機械式自動撮影装置が付いているので本発明の装置を撮影機（２）と別にした方法である．
撮影機（２）には切り替えスイッチ（６）電子シャッター（４）信号出力端子（１２）及び信号入力端子（１３）を設ける．
自動撮影機用装置（１７）には繰り返し選択装置（７）、ＮＯ．１タイマー（１１）ＮＯ．２タイマー（２１）を設け、それぞれＮＯ．１表示（８）、ＮＯ．２表示（９）ＮＯ．３表示（１０）をそれぞれ設け、設定時間後に電子シャッター（４）が切れるが、図では説明上タイマーが２個  図示しているが通常のタイマーに２種類の端子を設ければ、タイマーは１個で兼用出来る．
（ハ）図３はタイマーの設定時間を例えば、赤、黄色、青色の表示灯で表現してしていたが、これをデジタル表示装置（１８）により数字で表現出来る．
（ニ）図４は撮影装置付き携帯電話等の薄型撮影機（１９）に関する例であり、通常自動撮影装置、三脚取付け具（１４）は付いていない．
シャッター（３）と電子シャッター（４）間に一般の撮影と自動撮影とを切り替える為の切り替えスイッチ（６）を設け更に信号出力端子（１２）信号入力端子（１３）を薄型撮影機（１９）に設ける．
更に保持溝（２０）を設けた自動撮影機用装置（１７）に繰り返し選択装置（７）及びＮＯ．１タイマー（１１）ＮＯ．２タイマー（２１）を設け、又ＮＯ．１表示（８）、ＮＯ．２表示（９）ＮＯ．３表示（１０）をそれぞれ設け、更に薄型撮影機（１９）の信号出力端子（１３）とそれぞれ接続する．
【図面の簡単な説明】
【０００７】
【図１】本発明の斜視図である．
【図２】本発明の斜視図である．
【図３】本発明の斜視図である．
【図４】本発明の斜視図である．
【符号の説明】１．映像表示板  ２．撮影機  ３．シャッター  ４．電子シャッター  ５．電源  ６．切り替えスイッチ  ７．繰り返し選択装置  ８．ＮＯ．１  表示  ９、ＮＯ．２  表示  １０、ＮＯ．３  表示  １１．ＮＯ．１  タイマー  １２．信号出力端子  １３．信号入力端子  １４．三脚取付け具  １５．三脚  １６．取り付け金具  １７．自動撮影機用装置  １８．デジタル表示装置  １９．薄型撮影機  ２０．保持溝  ２１．ＮＯ．２  タイマー
【図１】
2011010250.tif 000003
【図２】
2011010250.tif 000004
【図３】
2011010250.tif 000005
【図４】
2011010250.tif 000006
(57)【要約】【課題】通常の衣類を干すためのハンガーはアームが下向きになっているため靴類を干すことはできない。また、靴類を干すためのハンガーは、このアームが上向きになっているため衣類を干すことに不向きである。１本のハンガーを使い分けることにより、衣類と長靴などの履物の両方を干すことができれば非常に便利な物となるが、そのためには通常のハンガーの形状を大きく変化させる必要がある。【解決手段】ハンガーのアームの両端を直角に曲がった形状とし、フック部は上下にスライドできる構造として、両端にフックを設けることにより衣類及び履物を干すことが可能になるハンガーとなるものである。【選択図】図３
2011010890.tif 000002
【特許請求の範囲】
【請求項１】
アームの両端に直角に曲がった部分を設け、上下にスライドすることのできるフックをフック部の両端に設けることにより衣服と靴類を干すことのできる形状にしたハンガー。
【発明の詳細な説明】
【技術分野】
【０００１】
本発明は、上下を逆さまにすることにより衣服及び長靴等を干すことのできるハンガーに関するものである。
【背景技術】
【０００２】
衣服を干すためのハンガーと靴などを干すためのハンガーは、形状が異なるため、通常はそれぞれ別のものを使用している。
【先行技術文献】
【特許文献】
【０００３】
【特許文献１】特開２００３−１６９７４２号公報
【特許文献２】特開２００５−３４８９９３号公報
【特許文献３】実用新案登録第３１４０４６８号公報
【特許文献４】特開２００９−３９２４１号公報
【発明の概要】
【発明が解決しようとする課題】
【０００４】
１本のハンガーで衣服と靴類の両方を干すことができれば便利の良いものとなる。
【０００５】
そのためには、１本のハンガーを衣服用と靴類用に使い分けることのできる形状にする手段が必要である。
【課題を解決するための手段】
【０００６】
ハンガーのアームの両端に直角に曲がった部分を設け、フックを上下の両端に設けて上下にスライドできる構造とする。
【発明の効果】
【０００７】
衣服を干すときの形状から上下を逆さまにすることにより、アームは靴や長靴、ブーツ等を干すことのできる形状になる。
【図面の簡単な説明】
【０００８】
【図１】図１は、衣服等を干すときのハンガーの形状を示した説明図である。（実施例１）
【図２】図２は、履物を干すときのハンガーの形状を示した説明図である。（実施例２）
【図３】図３は、図２の形状にして、履物を干すときの状況を示した説明図である。（実施例２）
【発明を実施するための形態】
【０００９】
以下、本発明の形態を説明する。
（ア）  ハンガーのアーム（４）の両端に直角に曲がった部分（５）を設ける。
（イ）  フック（１）（２）を両端に設け、上下にスライドできる形状とする。
（ウ）  図１の形状から、上下を反転させてフック部をスライドさせることにより、靴や長靴などを干すことのできる形状となる。
【実施例１】
【００１０】
図１の実施例は、本発明を衣服を干すときの形状にしている状況である。
【実施例２】
【００１１】
図２の実施例は、図１の状況から上下逆さまにしてフック部をスライドさせ、靴や長靴などを干すことのできる形態にしたもので、図３はその実施状況を表わしている。
【符号の説明】
【００１２】
１  衣類を干すときに使用するフック
２  靴類を干すときに使用するフック
３  スライドする部分
４  アーム部
５  靴類を掛けるときに使用するアーム部
６  長靴またはブーツ
【図１】
2011010890.tif 000003
【図２】
2011010890.tif 000004
【図３】
2011010890.tif 000005
(57)【要約】      （修正有）【課題】磁気トルクのない小動力でも発電する発電機を提供する。【解決手段】磁石と鉄を設けるとそこに磁束ができる。磁石と鉄を一緒に廻してその磁束でコイルを切ると発電する事を特徴とする発電機。【選択図】図１
2011010532.tif 000002
【特許請求の範囲】
【請求項１】
磁石を鉄に吸わせ磁石と鉄を一緒に廻す。磁石と鉄の間に磁束が出来る。
その磁束で切るようにコイルを巻いて、鉄にはコイルを巻かない発電機。
【発明の詳細な説明】
【技術の分野】
【０００１】      本発明は磁石を鉄に吸いつかせ磁束を作る。磁石と鉄を一緒に廻してその間にコイルを磁束を切るように巻いた発電機に関するものである。
【背景技術】
【０００２】従来鉄にコイルを巻いてその中を磁石を廻した発電機があった。
【先行技術文献】
【発明の概要】
【発明が解決しようとする課題】
【０００３】そのため次のような問題点があった。
（イ）鉄にコイルを巻いて中を磁石を廻していたので鉄に磁石が吸い付く。
また電気が起きると鉄が磁石になって更に吸い付いて大動力が必要だった。
【課題を解決するための手段】
【０００４】磁石を鉄に吸い付かせて磁束を作る。
磁石と鉄を一緒に廻す。
中に磁束を切るようにコイルだけを設けてあるので磁石に吸い付いて力がかかるものがない。したがって小動力でも廻る。以上を特徴とする発電機である。
【発明の効果】
【０００５】磁石と鉄を吸い付かせて磁石と鉄を一緒に廻す間に磁束を切るようにコイルを設けてあるので磁気の力がない。したがって小動力でも発電する。
【図面の簡単な説明】
【０００６】
【図１】本発明の斜視図
【発明を実施するための形態】
【０００７】  以下本発明の実施の形態について説明する。
（イ）モーター（１）を設ける
（ロ）磁石（２）と鉄（３）を設ける
（ハ）磁石（２）と鉄（３）の間にコイル（４）を設けメーター（５）につなぐ。モータ      ー（１）を廻すとメーター（５）の針がふれる。
【符号の説明】
【０００８】１．モーター
２．磁石
３．鉄
４．コイル
５．メーター
【図１】
2011010532.tif 000003
(57)【要約】      （修正有）【課題】手指に運動機能障害のある方がスプーンやフォークを使って食事する際に使いやすく、健常な方はスプーンやフォークや箸を使って食事する際にさらに使いやすい、ユニバーサルデザインを取り入れた、機能性とデザインに優れた食器を提供する。【解決手段】内縁１から外縁２に向かった半円形の窪み３を設け、半円形の窪みに沿って皿底５に伸びた縁壁４ａと、同じく半円形の窪みに沿った容器の内側から外側に凹んだ縁壁を設け、容器中心から縁壁に平行に伸びて突き当たる二本線の凸部６を皿底５に設けた。【選択図】図１
2011010943.tif 000002
【特許請求の範囲】
【請求項１】
内縁から外縁に向かった半円形の窪みを設け、半円形の窪みに沿って皿底に伸びた縁壁と、同じく半円形の窪みに沿った容器の内側から外側に凹んだ縁壁を設け、容器中心から縁壁に平行に伸びて突き当たる二本線の凸部を皿底に設けたことを特徴とする食器。
【発明の詳細な説明】
【技術分野】
【０００１】
本発明は、縁に半円形の窪みを設け、それに沿って皿底に伸びる異なった縁壁を数か所設け、その半円形の縁壁や皿底に、スプーンやフォークや箸を使用して食するのに適した機能を施した、健常の方や手指に運動機能障害がある方でも使いやすい食器に関するものである。
【背景技術】
【０００２】
従来、スプーンやフォークや箸などで食しやすくするために凹凸を付けた皿や、縁壁を容器の内側から外側に凹ませた、食器があった。
【先行技術文献】
【特許文献】
【０００３】
【特許文献１】特開２０００−２３２９３０号公報（第２頁 図２）
【特許文献２】特開２００６−２７１９２１号公報（第４頁 図１）
【特許文献３】特開平８−２９４４３８号公報（第３頁 図４）
【特許文献４】実用新案公開平８−１６２１号公報（第２頁 図３）
【発明の概要】
【発明が解決しようとする課題】
【０００４】
そのために、次のような問題点があった。
（イ）食器に凹凸が多数付いただけなので、フォークや箸で食べ物を突き刺す場合の滑り止めの効果は不確実である。
（ロ）食器に凹凸が多数付いているので、スプーンやフォークや箸を使ってスライドさせながらすくい上げて食する場合に、食器の凹凸にスプーンやフォークや箸が引っ掛かり、かえって食しづらくするものである。
（ハ）組み合わせ式食器というのは、手指に運動機能障害のある方には扱いづらいものである。
（二）縁を容器の内側から外側に凹ませた面の幅や、食べ物を集めるポイントの角度の開きが広すぎて、一方向ないし二方向しか縁壁に接しないため、球状の食べ物を丸い形状のスプーンやフォークですくい上げようとすると、スプーンやフォークの横に逃げてしまい食することが困難である。
本発明は以上の問題点を解決するものである。
【課題を解決するための手段】
【０００５】
内縁から外縁に向かった半円形の窪みを設け、その半円形の窪みに沿って皿底に伸びる縁壁を設け、容器の中心部からその半円形の縁壁最深部に水平に伸びて突き当たる二本線の凸部を設ける。内縁から外縁に向かった半円形の窪みを設け、その半円形の窪みに沿って容器の内側から外側に凹んだ縁壁を設ける。
以上を特徴とする食器である。
【発明の効果】
【０００６】
（イ）半円形の窪みに沿って皿底に伸びる縁壁に、容器の中心部から半円形の縁壁最深部に水平に伸びて突き当たる二本線の凸部の上部に、食べ物を乗せることにより、食べ物が皿底と張り付くことを軽減し、フォークを二本線の凸部に合致するように水平にスライドさせることによって、縁壁に食べ物を押し付けながら、スムーズにすくい上げることができる。
（ロ）半円形の窪みに沿って皿底に伸びた縁壁や、半円形の窪みに沿って容器の内側から外側に凹んだ縁壁を、食器一個体に設けたので、多個体を組み合わせる必要もなく、手指に運動機能障害のある方でも容易に取り扱うことができる。
（ハ）健常の方や手指に運動機能障害がある方が片手で食しても、半円形の三方囲まれた縁壁に食べ物を押し付けることができ、スプーンやフォークや箸を使っても丸い形状の食べ物が左右に逃げにくいので、容易にすくい上げることができる。
以上のように健常な方や、手指に運動機能障害のある方や、ナイフとフォーク文化の方や、箸文化の方や、年齢性別を問わず、全世界中のどのような方が使っても容易に使いこなすことのできる、真のユニバーサルデザインを追求した発明なので、日本国内はもとより海外でも理解されやすい食器である。
【図面の簡単な説明】
【０００７】
【図１】本発明の斜視図
【図２】本発明の上面図
【図３】本発明の一部を切り欠いた断面図
【図４】本発明にフォークを用いて操作している説明図
【発明を実施するための最良の形態】
【０００８】
（イ）内縁（１）から外縁（２）に向かった、半円形の窪み（３）に沿って皿底（５）に伸びた縁壁（４ａ）を設ける。
（ロ）内縁（１）から外縁（２）に向かった、半円形の窪み（３）に沿って容器の内側から外側に凹んだ縁壁（４ｂ）を設ける。
（ハ）半円形の窪み（３）に沿った縁壁（４ａ）の皿底（５）に、容器中心部から縁壁（４ａ）方向に水平に伸びて突き当たる、二本線の凸部（６）を設ける。
本発明は以上のような構造で、これを使用するときは、スプーンやフォークや箸で半円形の窪み（３）に食べ物を運び込み、縁壁（４ａ）か凹んだ縁壁（４ｂ）に食べ物を押し付けて、スプーンやフォークや箸ですくい上げて食する。
フォークや箸などで皿底（５）に二本線の凸部（６）がある半円形の窪み（３）に食べ物を運び込み、食べ物を、皿底（４）の二本線の凸部（６）の上部に乗せることにより、食べ物と皿底（５）が張り付くことを軽減し、食べ物と皿底（５）の間に隙間を作り出すことによって、フォークや箸で食べ物をスムーズにすくい上げ食する。
フォークや箸などで半円形の窪み（３）に食べ物を運び込み、縁壁（４ａ）か凹んだ縁壁（４ｂ）に食べ物を押し付けて、フォークや箸で突き刺して食する。
これにより、手指に運動機能障害がある方でも、フォークやスプーンを使い片手のみで、半円形の窪み（３）に食べ物を運び込み、縁壁（４ａ）か凹んだ縁壁（４ｂ）に食べ物を押し付けてすくえば、自立した食事ができる。
【符号の説明】
【０００９】
１   内縁
２   外縁
３   半円形の窪み
４ａ 縁壁
４ｂ 凹んだ縁壁
５   皿底
６   二本線の凸部
【図１】
2011010943.tif 000003
【図２】
2011010943.tif 000004
【図３】
2011010943.tif 000005
【図４】
2011010943.tif 000006
(57)【要約】【課題】従来の屋内清掃では掃除機本体を部屋の中に持ち込み使用するため、騒音の問題と排気口から出る塵が部屋に残る。屋内で使用する空気清浄機は、フィルターの汚れが激しく、交換回数が多い。又空気の汚れをすべて除去できない。【解決手段】洗浄水槽、エアーコンプレッサー一体型の掃除機本体１を屋外に設置し、パイプ及びホース２の先端を本体１につなぎ、もう一方の先端は建物の壁を貫通し、屋内に引き込み、壁内収納型の栓３とジャバラホース４につなぐ。その壁内収納型の栓３とジャバラホース４のジョイント部分に、コンセントとエアーコンプレッサー２の送風パイプを同時に接続できる手段を講じたものである。【選択図】  図１
2011010967.tif 000002
【特許請求の範囲】
【請求項１】
屋内のホコリ・空気を、屋外に設けた掃除機本体内部の洗浄水槽によりろ過し、洗浄された空気を室内に循環する。
【請求項２】
掃除機本体内部のエアーコンプレッサーが作動し、吸引器具に内蔵されたエアー吹き出し口から噴出される高圧エアーによって、屋内の頑固なホコリ・汚れを吹き飛ばすと同時に吸引する。
【発明の詳細な説明】
【技術分野】
【０００１】
この発明は洗浄水槽、エアーコンプレッサー一体型の掃除機本体を屋外に設置し、屋内の清掃とハウスダストの除去、空気の洗浄に関するものである。
【先行技術文献】
【特許文献】
【０００２】
【特許文献１】特開平１１−３４６９６５号広報
【発明の概要】
【発明が解決しようとする課題】
【０００３】
従来の屋内清掃では掃除機本体を部屋の中に持ち込み使用するため、騒音の問題と排気口から出る塵が部屋に残る。屋内で使用する空気清浄機は、フィルターの汚れが激しく、交換回数が多い。又空気の汚れをすべて除去できない。
【課題を解決するための手段】
【０００４】
洗浄水槽、エアーコンプレッサー一体型の掃除機本体１を屋外に設置し、パイプ及びホース２の先端を本体１につなぐ。もう一方の先端は建物の壁を貫通し、屋内に引き込み、壁内収納型の栓３、ジャバラホース４、吸引器具５につなぎ、吸引器具５の手元のリモコン１０で操作する。
その壁内収納型の栓３とジャバラホース４のジョイント部分に、コンセントとエアーコンプレッサー１１の送風パイプ２を同時に接続できる手段を講じたものである。
【発明の効果】
【０００５】
本発明は、室内の空気及びホコリを、屋外に設置した掃除機本体内部に設けている洗浄水槽の中を通ることによって、二酸化炭素及び花粉等を除去し、室内にきれいな空気を循環する。
【図面の簡単な説明】
【０００６】
【図１】本発明の全体図
【図２】掃除機本体の拡大図
【図３】吸引器具の拡大図
【図４】エアーガン図
【発明を実施するための形態】
【０００７】
本発明では、部屋の清掃、ハウスダスト除去、空気の洗浄ができる掃除機本体を屋外に設置する屋内掃除方法の提供を目的とする。
【実施例１】
【０００８】
実施例１  洗浄水槽１２が屋外に設置された掃除機本体１と一体になっているので、吸引したゴミやホコリを除去するのに、通常使用されるようなフィルターが不要である。
【０００９】
実施例２  ゴミやホコリのほか、二酸化炭素および花粉等を、換気口７またはリモコン１０のスイッチ切り替えによって吸引器具先端部８で吸引し、洗浄水槽１２の水中ろ過器１３を通過してろ過されるので、空気の清浄が可能である。
【００１０】
実施例３  実施例２で洗浄した空気を送風機６により、室内に循環することができる。
【００１１】
実施例４  吸引器具先端部８に内蔵されているエアー吹き出し口９により、頑固なホコリをエアーで吹き飛ばしながら、吸引する。
【００１２】
実施例５  吸引器具５とジャバラホース４を壁内収納型の栓３から取り外し、図4に示す、エアーガン１４につながっているホース１５の先端部エアーカプラー１６を壁内収納型の栓３につなぎ、手元のスイッチ１７を操作することによって、エアーガン１４が単独で壁・天井・テーブルの上などのホコリを吹き飛ばし、換気口７よりホコリを除去できる。
【００１３】
実施例６  エアーガン本体１４には、エアーの吹き出し方法（シャワーまたはストレート）の切り替えスイッチ１８がある。
【図１】
2011010967.tif 000003
【図２】
2011010967.tif 000004
【図３】
2011010967.tif 000005
【図４】
2011010967.tif 000006
(57)【要約】 【課題】従来ゆで卵は、殻を割らずそのまま丸ごとお湯でボイルし製造していた。殻剥きの手間を省くため、殻を割り成形器に入れボイルしたり、更には卵白と卵黄を分離しボイルしたりと、工夫もなされてきたが、卵白と卵黄を分離する手間をかけたり、叉、キャラクターの型で作っても平面的なものでしかなかった。【解決手段】上部に卵を割り入れる開口部を有し、内部中間に卵白は通過し卵黄は通過しない程度の狭口部を有し、該狭口部の上部に卵黄の収納部と、該狭口部の下部に卵白の収納部と、取り出しのための開閉機構を具備することを特徴とする立体型ゆで卵成形器を開発した。これにより、上部開口部から卵の殻を割り入れるだけで卵白は下に卵黄は上に分離一体化され、様々な型の立体型ゆで卵が、生卵の殻を割り中身を立体型ゆで卵成形器に投入しボイルするだけで簡単に作ることができるものである。【選択図】図１
2011010626.tif 000002
【特許請求の範囲】
【請求項１】
立体的なゆで卵を作るための容器において、卵を割り入れる開口部と、卵白と卵黄を分離する狭口部と、該狭口部の上部の卵黄収納部と、該狭口部の下部の卵白収納部とからなり、全体にわたって縦方向に開閉するための機構を具備することを特徴とする立体型ゆで卵成形器。
【発明の詳細な説明】
【技術分野】
【０００１】
本発明は立体型のゆで卵を成形する容器に関するものである。          
【背景技術】
【０００２】
従来ゆで卵は生卵の殻を割らずにそのまま湯煎し作成していた。下記特許文献１は卵白と卵黄の混合を避けるためあらかじめ卵白と卵黄を分離し合成樹脂製シートの袋に入れ加熱し、ゆで卵を製造する方法に関するものであり、特許文献２は、ゆで卵の殻剥きの手間を省くため成形器に生卵を割り入れ茹でるものである。
【先行技術文献】
【特許文献】
【０００３】
【特許文献１】特開平８−３３６３７２号公報
【特許文献２】特開平７−２８４３７７号公報
【発明の概要】
【発明が解決しようとする課題】
【０００４】
従来ゆで卵は、殻のまま卵白も卵黄もそのまま丸ごとお湯でボイルし製造していた。上記特許文献１及び２のように、殻剥きの手間を省くため殻を割り、合成樹脂シートの袋や様々なキャラクターの形を用いた成形器に入れボイルしたり、更には卵白と卵黄の混合を避けるため分離しボイルしたりと、工夫もなされてきた。しかしながら、卵白と卵黄を分離する手間をかけたり、叉、キャラクターの型で作っても平面的なものでしかありえなかった。本発明は生卵を割り投入するだけで、簡単に卵白と卵黄を分離し、立体的なゆで卵を作るための容器を開発することを課題とした。
【課題を解決するための手段】
【０００５】
上記課題を解決するための本発明立体型ゆで卵成形器は、卵を割り入れる開口部と、卵白と卵黄を分離する狭口部と、該狭口部の上部の卵黄収納部と、該狭口部の下部の卵白収納部とからなり、全体にわたって縦方向に開閉するための機構を具備することを特徴とする。
【発明の効果】
【０００６】
本発明の立体型ゆで卵成形器は、卵白は通過し卵黄は通過しない狭口部を設けていることから、上部開口部から卵の殻を割り中身を入れるだけで卵白は下に卵黄は上に分離され、お湯の中でボイルすると内部の卵は立体型ゆで卵成形器の形で凝固し、開閉部を開け内部の卵を取り出すと、例えば卵白で胴体、卵黄で頭部を成形した動物というような、立体型ゆで卵が完成するというもので、卵黄と卵白を分ける手間なく、生卵の殻を割り中身を投入するだけで卵黄と卵白が分離一体化し様々な形状の立体型ゆで卵を作ることができるという効果を発揮するものである。
【０００７】
これら立体型ゆで卵はサラダやラーメン等様々な料理の中に立たせて置くことができ、料理の盛り付け時の飾りとしても新たなアクセントとなり楽しめるものである。
【図面の簡単な説明】
【０００８】
【図１】本発明の立体型ゆで卵成形器説明図
【図２】立体型ゆで卵
【発明を実施するための形態】
【０００９】
以下、実施の形態を実施例にもとずき、図面を参照しつつ詳細に説明する。
【実施例】
【００１０】
図１は、Ｍサイズの卵を使用する場合の実施の一例で、厚さ約２ｍｍの軟質の樹脂製で、雪だるま型の立体型ゆで卵の作るためのものである。上部卵黄収納部１は高さ約３ｃｍで、最上部には卵を割り入れるために直径約４ｃｍの開口部３を設けたが、その容量は約２５ｃｃの卵黄の容量より多い約３０ｃｃとして、下部卵白収納部２との間に直径が約２ｃｍの狭口部４を設け、その下部に高さ約４ｃｍで４０ｃｃより多い容量を有する卵白がややあふれる程度の容量である約４０ｃｃの容量の下部卵白収納部２を設け、更にお湯の中で安定させるため錘６を最下部にとりつけた。
【００１１】
この実施例の試作品では、紙粘土で原型を作りこれに軟質樹脂で約２ｍｍの厚さで外側を覆い、固形化してからカッターナイフで縦方向に切断して開き、中の紙粘土製の型を取り出し作成した。そしてこの切断部分をそのまま開閉機構とし、生卵を割りいれる前に食品用ラップで包み、切れ目部分を閉じて固定することにより繰り返し使うことができた。
【００１２】
卵は、殻を割り開口部３から投入すると狭口部４で卵黄は留まり、卵白の大部分は下部卵白収納部２に落下する。下部卵白収納部２に収まらない分の卵白は狭口部４付近より上部卵黄収納部１にあふれるが卵黄と接触し、茹で上がった際卵白と卵黄は一体化する。
【００１３】
ボイルが終了すると立体型ゆで卵成形器を包んでいた食品用ラップを取り、開閉部５を開き中の卵を取り出すと、図２に示すように頭部が卵黄７、胴体が卵白８で形成された雪だるま型の立体型ゆで卵が完成した。
【００１４】
使用方法は、開閉部５を閉じでお湯の浸入と卵の漏れを防止した立体型ゆで卵成形器の上部開口部３から生卵を割り中身を投入する。投入された中身のうち卵黄は狭口部４を通過せず上部卵黄収納部１に留まり、卵白は狭口部４を通過し下部卵白収納部２に落ちるが、下部卵白収納部２に入りきれなかった卵白は、狭口部４付近で上部卵の収納部１に留まっている卵黄と接し、一体化した状態となる。                                 
【００１５】
上記生卵の入った立体型ゆで卵成形器をそのままお湯の中に入れボイルし、卵が固まったら開閉部５を開き出来上がったゆで卵を取り出すと、上部が卵黄７下部が卵白８で一体化した立体型ゆで卵が完成するものである。                                        
【符号の説明】
【００１６】
１  上部卵黄収納部
２  下部卵白収納部
３  開口部
４  狭口部
５  開閉部
６   錘   
７  卵黄
８  卵白
【図１】
2011010626.tif 000003
【図２】
2011010626.tif 000004
(57)【要約】      （修正有）【課題】クレープ紙の有効利用は限定されており、また梅の種の産業廃棄物の減少にはつながっていない現状や産業廃棄物の有効利用方法がないことからこの活用を図る。【解決手段】梅炭を練りこんだクレープ紙を細かい網目上に組み立てて植物種子が挟まる大きさの空洞をつくるステップと、梅炭の不純物吸着力を利用して純水を種子に与えるステップと、根の伸長を抑えるために網目状の箱を高さ１センチメートルに裁断するステップを特徴とする形状の網目上の箱を利用した梅炭を使った植物の栽培キットとする。【選択図】図３
2011010644.tif 000002
【特許請求の範囲】
【請求項１】
産業廃棄物である梅の種を炭化するステップと、
炭化した梅炭を粉末にし、古紙、水などを加え製紙する（梅炭クレープ紙）ステップと、
出来たクレープ紙（梅炭クレープ紙）をライナーと波板とで形成される積層にして種子の落下を防ぐステップと、
この積層梅炭ダンボールを１センチメートルにカットして根の徒長を防ぐステップと、
水分を含ませる事により黒くして乾燥させることにより、水分中の不純物を吸着しやすくするステップ、
を備えていることを特徴とする梅の種の炭を練りこんだ再生ダンボールＵＭＥＺＵＭＩ（梅炭）を使った植物の栽培キット
【発明の詳細な説明】
【技術分野】
【０００１】本発明は、梅炭を使った植物の栽培方法に関する。
【背景技術】
【０００２】従来、クレープ紙の製造方法や用途については、様々提案されている。
【特許文献１】特開２００９−１２８２６号公報
【発明の開示】
【発明が解決しようとする課題】
【０００３】クレープ紙の有効利用は限定されており、梅の種の産業廃棄物の減少にはつながっていない現状がある。【０００４】本発明は上記事情に鑑みて成されたものであり、植物の栽培に利用でき、梅の種の産業廃棄物を減少させることを目的とする。
【課題を解決するための手段】
【０００５】本発明は、上記課題を解決するため、以下の手段を採用する。
本発明により、梅の種の炭を練りこんだ再生ダンボールを細かい網の目状に細工を行い１センチメートルの高さに切断をして根の徒長を防ぐことを特徴とする。【０００６】さらに、梅炭のもつ不純物吸着力に注目し、純水を種子に与えることにより、種子の発芽を促進することを特徴とする。【０００７】またクレープ紙を網目上に編みこむことで種子の設置後の落下を防ぐことを特徴とする。
【発明の効果】
【０００８】本発明によれば、梅炭紙を用いることにより種子の水耕栽培が家庭で簡単にできるようになる。
【発明を実施するための最良の形態】
【０００９】本発明に係る部分について、図１及び図２を参照して説明する。
【産業上の利用可能性】
【００１０】梅の種の産業廃棄物の有効利用方法の発明であり、産業廃棄物の新たな利用方法となる。
【図面の簡単な説明】
【００１１】
【図１】本発明の一実施形態に係る網目上の箱の断面である。下図のようにクレープ紙をライナーと波板とで形成される積層にする。
【図２】本発明の一実施形態に係る網目上の箱の外面である。積層梅炭ダンボールを適当な大きさにカットすることで根の伸長を防ぐことができる。
【図３】本発明の代表図面である。種子が発芽した様子を示す。
【図１】
2011010644.tif 000003
【図２】
2011010644.tif 000004
【図３】
2011010644.tif 000005
(57)【要約】【課題】  障害者のための総合的な支援サイトは存在しない。  障害者は、その製作した製品を社会に販売する手立てを持っておらず、また、障害者の作品は、社会的に必ずしも適正評価されていない現状にある。  障害者が、安易にかつ安心して社会参加できるような方策が必要であり、インターネットを活用すればこれらの課題は比較的容易に解決できるはずである。【解決手段】  障害者のための総合ポータルサイトを立ち上げ、運用する。  障害者が、手数料や手間をかけずに、かつ、安心して、適正な価格でその製作にかかる作品を販売できるショッピングサイトを立ち上げる。なおかつ、そのサイトは、企業や福祉関係者の寄付金と広告収入にて賄い、障害者サイドには一切の負担を求めない。  このサイトが有名になり、アクセスが集中し、サイトの価値があがればあがるほど、その広告価値はあがり、より一層、出展者、広告者が増える仕組みとする。【選択図】図１
2011090655.tif 000002
【特許請求の範囲】
【請求項１】
障害者の製作にかかる物品販売、情報交換、カウンセリング、イベント企画と宣伝といった、「障害者に完全特化」したコンビニサイトである。
【請求項２】
サイト運営を、福祉関係者、精神に賛同する企業などの寄付金と広告収入のみで賄い、障害者サイドからは一切の負担を徴収しない、といった「完全チャリティな運営」を図る。
【請求項３】
障害者、または障害者を持つ家族、障害者に関わる施設からみたら、物品販売、施設及び活動紹介、相互の情報交換、各種相談、各種イベント、行事の企画、紹介など、オンライン上でできたらいいなと思うニーズをすべてみたす、障害者に関する「総合的なサイト」である。
【請求項４】
各企業は、いま、社会的活動として独自のボランティア活動を行い、チャリティなサイトを運営していることが多いが、独自の企画、独自のサイト運営が負担となっている。このサイト立ち上げにより、リンクをはり、バナーをはることで、「企業の社会奉仕活動を容易かつ効率的」なものにする。
【請求項５】
すべての障害者がこのサイトに集まることにより、アクセス数が増え、サイトの価値が高まり、障害者のための総合サイトとして重要性が高まる。あらゆる「障害者施策のセンター的機能」を担うこととなる。
【請求項６】
当面は、東三河エリアからスタートするが、近い将来は、いわゆる「全国障害者・ドットコム」的な位置づけをめざす。
【発明の詳細な説明】
【技術分野】
【０００１】  この発明は、障害者のためのオンライン・ショップを運営するためのサイトに係るものである。障害者が製作したもの、障害者に関わるリサイクル品をネット上で、健常者と同じ価値で販売する。しかも、ネット上で販売を希望する出展者からは、登録料、手数料をいっさいとらない。ネット販売に加えて、同時に障害者の情報交換、障害者の施設の紹介、カウンセリングを常時実施し、展示即売会などのイベントも同時に企画・運営するという、従来にはない障害者のためのチャリティな総合的オンラインサイトである。
【背景技術】
【０００２】  従来のオンライン・ショッピングサイトは、サイト運営者が何がしかの手数料を入手できる営業目的であるが、このサイトは、出展者である障害者からは一切の手数料を徴収しないチャリティなサイトとして運営する。加えて、従来、障害者の社会的地域の向上を目的とした、障害者専門のオンラインサイトは存在しない。サイトの運営資金を企業等の寄付金収入、広告収入でまかない、障害者に一切負担をかけず、なおかつ、高い付加価値を付けて、社会参加を促す画期的なサイトである。
【発明の概要】
【発明が解決しようとする課題】
【０００３】  障害者の製作した商品は、健常者と同等の品質であっても、安い値段に叩かれ、なおかつ、障害者は、適正価格で物品を販売する手立て、あるいは彼らの技術を社会に宣伝する手立てを持たない。健常者のショッピングサイトに参加すれば、彼らの価値は埋もれ、また販売手数料、買い手のクレーム処理といったリスクを背負うこととなる。そのような欠点を払拭し、障害者のオンラインショッピングに特化したサイトをチャリティで立ち上げ、運用する。同時に、物品販売にとどまらず、障害者に関する情報交換、ネット上のカウンセリング、イベントの紹介、仲介などを行うことにより、障害者の社会参加を促進し、彼らの社会での地位の向上を目指す。
【課題を解決するための手段】
【０００４】  障害者に特化したオンライン・ショッピングサイトを、障害者に負担を求めず、１００％チャリティなサイトとして運営する。運営主体は、ＮＰＯ法人が担い、運営コストは、企業、福祉関連施設からの寄付金、バナー広告などで賄う。多くの公的施設、企業ボランティアが関わることにより、サイトの有名度が高まり、より広く知られることにより、サイトの価値があがり、より多くの参加協力者が見込まれるという好循環を活用する。
【発明の効果】
【０００５】  障害者が、特段の金銭的、精神的負担を伴わず、安易に自己の作品を世に出すことができ、彼らの労働に対する社会的評価も高まり、社会復帰の機会・意欲が高まる。企業の障害者に対するボランティア意欲を高め、企業の社会活動への参加を推進する。
障害者のための専門で、総合的で、かつ社会的にも認められたサイトが構築される。
【図面の簡単な説明】
【０００６】
【図１】  本発明のサイトの機能イメージ図である。
【発明を実施するための形態】
【０００７】  既存のオンラインサイトを活用し、必要な加工修正を施したうえで運用する。
障害者施設、障害者を持つ家族、企業からの寄付金、バナー広告収入でサイトを運営し、ネット販売に参加する出展者からは一切の経費をとらないという、完全なチャリティで運営する。企業の社会的責任、ボランティア精神に期待したサイト運営とする。
【実施例】
【０００８】  インターネットサイトの運用、通信費、運用するスタッフの人件費、販売に係る経費を寄付金、広告収入などで賄い、事業そのものをぎりぎり黒字とし、収益性は一切追及しない。このオンラインサイトに参加する人が増え、サイトが有名になることで、リンク価値、バナー広告価値を相乗的に高める。
【図１】
2011090655.tif 000003
(57)【要約】      （修正有）【課題】ラブホテルは今衰退して来ている。ラブホテルを改造して新規用途を提供する。【解決手段】インターネットカフェとホテルを合併することによりその需要を伸ばす。ホテルの建物を改造してインターネット、ホテル、株、東洋治療院などの仕事をする。さらにインターネットを管理部屋に配置しインターネットを個室化する。さらに管理部屋を診察部屋にする。自動車の遮断幕は取り除き、店は明るく、入りやすくなるように改造する。【選択図】なし【特許請求の範囲】
【請求項１】
ラブホテルを改造してインターネット、ホテル、株、東洋治療院などの仕事をする。
【発明の詳細な説明】
【技術分野】  ホテルの変更【０００１】  ホテルの再開発
【背景技術】
【０００２】  インターネットを配置するだけで良い。
【開発の開示】
【開発が解決しようとしようとする課題】
【０００３】  インターネットの管理部屋に配置しインターネットを個室化すれば良い。
管理部屋を診察部屋にすれば良い。
【課題を解決するための手段】
【０００４】  インターネットを道入すれば良いか、管理室を診察室にすれば良い。。
【発明の効果】
【０００５】  インターネットカフェであるので自動車の遮断幕は要らなり、東洋要り様では管理室は診察室質になりこれも遮断幕が要らなくなる。
【発明を実施するための最良の形態。】
【０００６】  店は明るくなり、入りやすくなり繁盛し、儲かるようになる。
【実施例】
【０００７】  無いと思われる。
【産業上の利用の可能性】
【０００８】  十分な可能性はある。
【図面の簡単な説明】
【０００９】  無し。
(57)【要約】【課題】障害管理システムに、全国の稼働状況及び稼働時間を取り込むテーブルから、予防交換時期の値を算出するプログラムが必要。【解決手段】障害通報機能を備えた情報処理装置とネットワークを介して接続された障害管理システムより構成された情報処理システムにおいて、情報処理装置に搭載されているハードディスク等の寿命部品の予防交換時期について、全国で稼働している情報処理装置の障害情報、稼働時間から寿命部品の障害率を計算し、寿命部品の予防交換時期を定期的に最適な値に計算(変動値)し、情報処理装置の稼働時間が予防交換時期に近づいたら予防交換の通知をする。【選択図】  図１
2011090416.tif 000002
【特許請求の範囲】
【請求項１】
障害通報機能を備えた情報処理装置とネットワークを介して接続された障害管理システムより構成された情報処理システムにおいて、情報処理装置に搭載されているハードディスク等の寿命部品の予防交換時期について、全国で稼働している情報処理装置の障害情報、稼働時間から寿命部品の障害率を計算し、寿命部品の予防交換時期を定期的に最適な値に計算（変動値）し、情報処理装置の稼働時間が予防交換時期に近づいたら予防交換の通知をする予防交換時期予測方式。
【発明の詳細な説明】
【技術分野】
【０００１】
本発明は、情報処理装置における寿命部品の予防交換時期を、全国で稼働している情報処理装置の稼働状況から最適な値に計算（変動値）する予測方式に関する。
【背景技術】
【０００２】
従来技術では、特定装置における環境状況から交換時期を最適な値に計算することが特開８−１６７２３４に記載されているが、全国の稼働状況からの計算では考慮されていない。
【先行技術文献】
【特許文献】
【０００３】
【特許文献１】特開８−１６７２３４
【発明の概要】
【発明が解決しようとする課題】
【０００４】
従来技術では特定場所に設置された情報処理装置に特化した最適な予防交換時期の計算である。
【課題を解決するための手段】
【０００５】
前述課題に対して、本発明では、全国の稼働状況から情報処理装置の障害
情報について纏めた障害管理システムと障害情報の統計を纏めるプログラムから、最適な予防交換時期の値を計算することにより、全国で稼働する情報処理装置について実現する。
また、定期的に予防交換時期の値を計算し、予防交換時期の値を変動する。
【発明の効果】
【０００６】
最適な予防交換時期の値を計算することにより、未然に情報処理装置の故障を防ぐという利点がある。
【図面の簡単な説明】
【０００７】
【図１】本発明の実施形態の全体構成を示す概略図
【図２】交換時期の値を計算するプログラムのフロー図
【図３】各情報処理装置から取り込んだ稼働状況を障害管理システムに蓄積するテーブル図
【発明を実施するための最良の形態】
【０００８】
以下、本発明の実施形態を、図と動作フローを用いて説明する。
【０００９】
図１におけるシステムの構成において各情報処理装置（１００−１０３）から定期的に障害情報をネットワーク（１０４）経由で障害管理システム（１０５）に取り込みを行う。取り込んだ情報は稼働状況（１０６）として情報処理装置ごとに管理され、定期的にプログラム（１０７）を実行することで最適な予防交換時期を算出する。
【００１０】
具体的なプログラム（１０７）の処理については図２のフローに示す。
障害通報機能を備えた情報処理装置（２００）で障害発生。
障害発生した情報処理装置（２００）からネットワーク（２０１）を介して障害管理システム（２０２）に通報（障害情報、稼働時間）される。
通報された情報は障害管理システム（２０２）が取り込む。
障害管理システム（２０２）は各部品の障害目標値、稼働状況の入力などを行い、取り込んだ障害情報と合わせて分析を行う。
分析した情報から稼働１００００時間以上（安定稼動時間）稼働した部品の障害率を１０００時間単位で抽出（２０３）する。
抽出した値（２０３）と各部品の目標値を比較し目標値を超えたか判断（２０４）する。
目標値（２０４）を超えた場合、部品の障害が高くなる稼働時間α（２０５）となる。達していない場合、問題ないと判断し終了（２０８）となる。
次に各情報処理装置の稼働時間が稼働時間α（２０６）に達しているか判断する。
稼働時間α（２０６）に達している場合、達した情報処理装置に対して予防交換を通報（２０７）する。
達していない場合、問題ないと判断し終了（２０８）となる。
【産業上の利用可能性】
【００１１】
全国の稼働状況から寿命部品の交換時期を、定期的に最適な値に計算（変動値）することにより、障害を予防的に防ぐことができる。
【符号の説明】
【００１２】
１００−１０３：情報処理装置、１０４：ネットワーク、１０５：障害管理システム、１０６：稼動状況を蓄積するファイル、１０７：交換時期を計算するプログラム
【図１】
2011090416.tif 000003
【図２】
2011090416.tif 000004
【図３】
2011090416.tif 000005
(57)【要約】【課題】需要と供給のバランスを図り、低料金で利用、運営ができ、かつ急な出先にも対応できる駐車場共有管理システムの実現【解決手段】携帯電話やパソコンのオンラインにリアルタイムで情報を流し、急な出先にも対応、さらに借りたい会員が登録した時間帯等の情報を自己駐車場の貸し出しに反映させる。つまり、会員各々が貸借の両者を担うこととし、需要と供給のバランスを図る。そして貸し出し料が発生しない為、低料金で運営ができる。会費制にすることで利用毎の料金がかからず低料金で利用することが出来る。【選択図】なし【特許請求の範囲】
【請求項１】
借りたい会員の登録した時間帯等の情報が自己駐車場の貸し出しに反映され、会員各々が貸借の両者を担う駐車場共有運営システム
【請求項２】
携帯電話やパソコンのオンラインにリアルタイムで情報を流し、予約せず、急な出先にも対応できる駐車場共有管理システム
【請求項３】
利用毎に料金のかからない会費制の駐車場共有管理システム
【請求項４】
会員に場所の特定をしやすい様に、そして貸している側にも認識をしやすい様に車用、駐車場用の２枚のステッカーを配る駐車場共有管理システム
【発明の詳細な説明】
【技術分野】
【０００１】
本発明は、低料金かつ需要と供給のバランスがとれ、急な出先にも対応した駐車場共有運営システムである。
【発明の概要】
【発明が解決しようとする課題】
【０００２】
駐車場共有も予約なしで、急な出先でも対応できることが望ましい。そして、需要と供給のバランス
が取れていることも重要と考えた。
【課題を解決するための手段】
【０００３】
ギブ＆テイクとあるように、駐車場を借りたい会員は同時に自己所有駐車場を貸すことになる。つまり貸すことを条件に
会員を募り、会員各々が貸借の両者を担う。そこで需要と供給のバランスが図れると考えた。
【０００４】
携帯電話やパソコンのオンラインにリアルタイムで情報を流し、予約せずに、急な出先でも検索、登録が出来るようにする。
そして借りたい会員が登録した時間帯などの情報が自己駐車場の貸し出しに反映されるというシステムである。
また、会員にはＩＤとステッカー２枚を配布する。ＩＤはオンラインをログイン方式にする為。ステッカーは車用と駐車場用で、
目印として、また、貸した側の人にも認識が出来るようにするためのものである。
【０００５】
料金は、年、または月会費にすることにより、その都度の利用料がかからないため、低料金で利用できる。
そして会員各々が貸借の両者を担うため、貸し出し料も発生せず、低料金で運営が出来ると考える。
【発明の効果】
【０００６】
以上のように需要と供給のバランスを図り、急な出先にも対応し、かつ低料金で駐車場共有ができる。